(57)【特許請求の範囲】
【請求項１】
表示器を壁材に取り付けてなる表示器の取付構造において、
前記表示器はその外周部にフランジ部が設けられており、
前記壁材に開口部が形成され、
前記壁材の表面に、取付フレームが前記開口部の縁部において取り付けられ、
前記開口部に、耐火性を有する箱状の耐火ボックスがその開口を前記開口部に向けて挿入されるともに、前記耐火ボックスの外周部に設けられたボックスフランジ部が前記取付フレームに当接され、
前記開口部に挿入された前記耐火ボックスに前記表示器が挿入されるとともに、前記フランジ部が前記取付フレームに取り付けられ、
前記ボックスフランジ部は、前記取付フレームと前記フランジ部とによって挟み付けられていることを特徴とする表示器の取付構造。
【請求項２】
請求項１に記載の表示器の取付構造において、
前記壁材の表面に、前記取付フレームが前記開口部の縁部において配置されるとともに、前記壁材の裏面に、取付金具が前記開口部の縁部において配置され、
前記取付フレームと前記取付金具とが締結手段によって締結されて前記壁材を挟み付けることによって、前記取付フレームが前記壁材の表面に取り付けられていることを特徴とする表示器の取付構造。
【請求項３】
請求項２に記載の表示器の取付構造において、
前記フランジ部は前記取付フレームに取付ネジによって取り付けられており、
前記ボックスフランジ部に、前記取付ネジが通る切欠部が形成されていることを特徴とする表示器の取付構造。
【請求項４】
表示器を壁材に取り付ける表示器の取付方法において、
前記表示器はその外周部にフランジ部が設けられており、
前記壁材に開口部を形成した後、前記壁材の表面に、取付フレームを前記開口部の縁部において取り付け、
次に、前記開口部に、耐火性を有する箱状の耐火ボックスを、その開口を前記開口部に向けて挿入するともに、前記耐火ボックスの外周部に設けられたボックスフランジ部を前記取付フレームに当接し、
次に、前記開口部に挿入された前記耐火ボックスに前記表示器を挿入するとともに、前記フランジ部を前記取付フレームに取り付けることによって、前記ボックスフランジ部を、前記取付フレームと前記フランジ部とによって挟み付けることを特徴とする表示器の取付方法。
【請求項５】
表示器を壁材に取り付ける表示器の取付方法において、
前記表示器はその外周部にフランジ部が設けられており、
前記壁材に開口部を形成した後、前記壁材の表面に、取付フレームを前記開口部の縁部において取り付け、
次に、耐火性を有する箱状の耐火ボックスに前記表示器を挿入するとともに、前記フランジ部を前記耐火ボックスの開口外側に位置させ、
次に、前記壁材の開口部に、前記耐火ボックスをその開口を前記開口部に向けて挿入するともに、前記耐火ボックスの外周部に設けられたボックスフランジ部を前記取付フレームに当接し、
次に、前記フランジ部を前記取付フレームに取り付けることによって、前記ボックスフランジ部を、前記取付フレームと前記フランジ部とによって挟み付けることを特徴とする表示器の取付方法。
【発明の詳細な説明】
【技術分野】
【０００１】
本発明は、住宅等で使用される電力の使用状況や太陽電池モジュールで発電される電力を表示する表示器を壁材に取り付ける取付構造および取付方法に関する。
【背景技術】
【０００２】
近年、太陽電池を屋根に設置して住宅で使用する電力の一部を太陽電池による発電電力よって補うとともに、発電電力が多い場合、系統側に売電する試みも行われている。
太陽電池モジュールで発電される電力や電力の使用状況を表示する表示器を設置することにより、利用者が容易に電力の使用状況等を把握することができる。
このような表示器は、通常後付けで住宅の内壁等に取り付けられるため、従来予め壁等に設置されている配線ボックスと同様に扱うことは容易ではない。
従来の配線ボックスの取付構造の一例として、特許文献１に記載の技術が知られている。この技術は、軽量形鋼材を挟むようにして一対の壁材が立設されてなる軽量間仕切壁を構築する前に、予め、軽量形鋼材に、耐火性を有する配線ボックスを直接固定しておき、その後、軽量形鋼材を挟むようにして一対の壁材を立設するとともに、該壁材の配線ボックスと対向する位置に開口部を形成するものである。
【先行技術文献】
【特許文献】
【０００３】
【特許文献１】特開２００９−５５６９７号公報
【発明の概要】
【発明が解決しようとする課題】
【０００４】
このように、従来の技術では、耐火性を有する配線ボックスを、壁を構築する前に、予め壁の骨組を構成する軽量形鋼材に固定しているため、上記のような後付けの表示器を壁に取り付けるものに簡単に適用することはできなかった。
すなわち、後付けで表示器を壁に取り付けるために、壁に取付用の開口部を形成した場合、必ずしも開口部またはその近傍に固定用の骨組が位置するとは限らないため、耐火性を確保した状態で表示器を壁に容易に取り付けることができなかった。
【０００５】
本発明は上記事情に鑑みてなされたもので、耐火性を確保した状態で表示器を後付けで壁材に容易に取り付けることができる取付構造および取付方法提供することを課題としている。
【課題を解決するための手段】
【０００６】
上記課題を解決するために、請求項１に記載の発明は、例えば図１〜図３に示すように、表示器１を壁材５に取り付けてなる表示器の取付構造において、
前記表示器１はその外周部にフランジ部３ｃが設けられており、
前記壁材５に開口部５ａが形成され、
前記壁材５の表面に、取付フレーム７が前記開口部５ａの縁部において取り付けられ、
前記開口部５ａに、耐火性を有する箱状の耐火ボックス１２がその開口を前記開口部５ａに向けて挿入されるともに、前記耐火ボックス１２の外周部に設けられたボックスフランジ部１２ｂが前記取付フレーム７に当接され、
前記開口部５ａに挿入された前記耐火ボックス１２に前記表示器１が挿入されるとともに、前記フランジ部３ｃが前記取付フレーム７に取り付けられ、
前記ボックスフランジ部１２ｂは、前記取付フレーム７と前記フランジ部３ｃとによって挟み付けられていることを特徴とする。
【０００７】
請求項１に記載の発明によれば、壁材５に形成された開口部５ａの縁部において壁材５の表面に取り付けられた取付フレーム７に、表示器１の外周部のフランジ部３ｃが取り付けられているので、表示器１を後付けで壁材５に容易に取り付けることができる。
また、耐火ボックス１２が壁材５の開口部５ａに挿入され、この耐火ボックス１２のボックスフランジ部１２ｂが前記取付フレーム７と表示器１のフランジ部３ｃとによって挟み付けられているので、耐火ボックス１２を容易に壁材５に固定できるとともに、この耐火ボックス１２によって耐火性を確保できる。
したがって、耐火性を確保した状態で表示器１を後付けで壁材５に容易に取り付けることができる。
【０００８】
請求項２に記載の発明は、請求項１に記載の表示器の取付構造において、
前記壁材５の表面に、前記取付フレーム７が前記開口部５ａの縁部において配置されるとともに、
前記壁材５の裏面に、取付金具１０が前記開口部５ａの縁部において配置され、
前記取付フレーム７と前記取付金具１０とが締結手段（ネジ）１１によって締結されて前記壁材５を挟み付けることによって、前記取付フレーム７が壁材５の表面に取り付けられていることを特徴とする。
【０００９】
請求項２に記載の発明によれば、前記取付フレーム７と前記取付金具１０とが締結手段１１によって締結されて前記壁材５を挟み付けることによって、前記取付フレーム７が壁材５の表面に取り付けられているので、取付フレーム７を壁材５に強固に固定できる。
なお、取付フレーム７と取付金具１０をネジ１１等の締結手段によって締結する場合、ネジ１１は壁材５の開口部５ａの隅部を通すのが好ましいが、壁材５を貫通させてもよい。
【００１０】
請求項３に記載の発明は、請求項２に記載の表示器の取付構造において、
前記フランジ部３ｃは前記取付フレーム７に取付ネジ１５によって取り付けられており、
前記ボックスフランジ部１２ｂに、前記取付ネジ１５が通る切欠部１２ｄが形成されていることを特徴とする。
【００１１】
請求項３に記載の発明によれば、前記ボックスフランジ部１２ｂに、前記取付ネジ１５が通る切欠部１２ｄが形成されているので、表示器１のフランジ部３ｃから取付フレーム７に取付ネジ１５をボックスフランジ部１２ｂに干渉させることなく、容易にねじ込んで、フランジ部３ｃを取付フレーム７に固定できる。
【００１２】
請求項４に記載の発明は、例えば図１〜図３に示すように、表示器１を壁材５に取り付ける表示器の取付方法において、
前記表示器１はその外周部にフランジ部３ｃが設けられており、
前記壁材５に開口部５ａを形成した後、前記壁材５の表面に、取付フレーム７を前記開口部５ａの縁部において取り付け、
次に、前記開口部５ａに、耐火性を有する箱状の耐火ボックス１２を、その開口を前記開口部５ａに向けて挿入するともに、前記耐火ボックス１２の外周部に設けられたボックスフランジ部１２ｂを前記取付フレーム７に当接し、
次に、前記開口部５ａに挿入された前記耐火ボックス１２に前記表示器１を挿入するとともに、前記フランジ部３ｃを前記取付フレーム７に取り付けることによって、前記ボックスフランジ部１２ｂを、前記取付フレーム７と前記フランジ部３ｃとによって挟み付けることを特徴とする。
【００１３】
請求項４に記載の発明によれば、壁材５の開口部５ａに、耐火ボックス１２をその開口を前記開口部５ａに向けて挿入するともに、前記耐火ボックス１２の外周部に設けられたボックスフランジ部１２ｂを前記取付フレーム７に当接することによって、耐火ボックス１２を開口部５ａに設けることができる。
次に、前記開口部５ａに挿入された前記耐火ボックス１２に前記表示器１を挿入するとともに、前記フランジ部３ｃを前記取付フレーム７に取り付けることによって、前記ボックスフランジ部１２ｂを、前記取付フレーム７と前記フランジ部３ｃとによって挟み付けることによって、表示器１と耐火ボックス１２を後付けで壁材５に取り付けることができる。
したがって、耐火性を確保した状態で表示器１を後付けで壁材に容易に取り付けることができる。
【００１４】
請求項５に記載の発明は、表示器１を壁材５に取り付ける表示器の取付方法において、
前記表示器１はその外周部にフランジ部３ｃが設けられており、
前記壁材５に開口部５ａを形成した後、前記壁材５の表面に、取付フレーム７を前記開口部５ａの縁部において取り付け、
次に、耐火性を有する箱状の耐火ボックス１２に前記表示器１を挿入するとともに、前記フランジ部３ｃを前記耐火ボックスの外周部に設けられたボックスフランジ部に当接し、
次に、前記壁材５の開口部５ａに、前記耐火ボックス１２をその開口を前記開口部５ａに向けて挿入するともに、前記ボックスフランジ部１２ｂを前記取付フレーム７に当接し、
次に、前記フランジ部３ｃを前記取付フレーム７に取り付けることによって、前記ボックスフランジ部１２ｂを、前記取付フレーム７と前記フランジ部３ｃとによって挟み付けることを特徴とする。
【００１５】
請求項５に記載の発明によれば、耐火ボックス１２に表示器１を挿入するとともに、表示器１のフランジ部３ｃを耐火ボックス１２のボックスフランジ部１２ｂに当接することによって、表示器１を耐火ボックス１２にセットしおき、
次に、壁材５の開口部５ａに、耐火ボックス１２をその開口を前記開口部５ａに向けて挿入するともに、耐火ボックス１２のボックスフランジ部１２ｂを前記取付フレーム７に当接したうで、表示器１のフランジ部３ｃを取付フレーム７に取り付けることによって、ボックスフランジ部１２ｂを、取付フレーム７とフランジ部３ｃとによって挟み付けることによって、表示器１と耐火ボックス１２を後付けで壁材５に取り付けることができる。
したがって、耐火性を確保した状態で表示器１を後付けで壁材５に容易に取り付けることができる。
また、耐火ボックス１２と表示器１とを同時に壁材５の開口部５ａに挿入することができるので、取付の作業性がよくなる。
【発明の効果】
【００１６】
本発明によれば、壁材に取り付けられた取付フレームに、表示器をフランジ部によって取り付けることができる。また、表示器が挿入された耐火ボックスのボックスフランジ部が取付フレームと表示器のフランジ部とによって挟み付けられているので、耐火ボックスを壁材に固定できるとともに、この耐火ボックスによって耐火性を確保できる。
したがって、耐火性を確保した状態で表示器を後付けで壁材に容易に取り付けることができる。
【図面の簡単な説明】
【００１７】
【図１】本発明に係る表示器の取付構造の一例を示すもので、取付構造の分解斜視図である。
【図２】同、取付フレームを壁材の表面に固定する方法を示すもので、取付フレームに取付金具を仮取付けした状態を示す斜視図である。
【図３】同、取付フレームを壁材の表面に取り付けている状態を示す斜視図である。
【図４】同、取付構造の平断面図である。
【発明を実施するための形態】
【００１８】
以下、図面を参照して本発明の実施の形態を説明する。
本発明に係る表示器の取付構造を説明する前に、表示器１について説明する。
表示器１は、図１に示すように、家庭でのエネルギー使用量や機器の動作を計測・表示するものであり、エアコン・床暖房などの機器別と、リビング・キッチンなどのエリア別に使用量を表示でき、さらに、電気・ガス・水道の使用量をCO2と料金に換算し、数値だけでなくグラフで表示できるようになっている。また、表示器１は、電気の消忘れ確認や使いすぎ警告、ブレーカー容量に対するピーク警告機能等を装備するとともに、太陽光発電システム等に対応可能となっている。また、化粧パネルを下方にスライドさせることによって現れるＵＳＢポートにより、データの保存やシステムの更新が可能となっている。
表示器１は、表示器本体２とこの表示器本体２の前面部に設けられた矩形板状のパネル部３とから構成されている。表示器本体２の４つの角部にはそれぞれ切欠部２ａが形成されている。
パネル部３は液晶表示部３ａと、十字キーや押圧ボタン等からなる操作部３ｂとから構成されている。パネル部３の外周部は表示器本体２より外側に突出しており、この部分がフランジ部３ｃとなっている。また、パネル部３の上下部には化粧パネル４，４が取り付けあられており、下の化粧パネル４を下方にスライドさせることによって、ＵＳＢポート３ｅが現れるようになっている。なお、上下の化粧パネル４，４はパネル部３の上下部にそれぞれ上方および下方からスライドするようにして取り付けられている。
【００１９】
前記表示器１を取り付ける壁材５は、住宅の内壁を構成するものであり、この内壁は平行離間して配置された壁材５，５間に図示しない芯材を設けた構造となっている（図４参照）。なお、壁材５は石膏ボードによって構成されている。
壁材５には、表示器１を挿入して取り付けるための矩形状の開口部５ａが形成されている。この開口部５ａは表示器１を取り付ける位置に適宜形成されるものである。
【００２０】
前記壁材５の表面には、取付フレーム７が開口部５ａの縁部において以下のようにして取り付けられている。
すなわちまず、取付フレーム７は矩形枠状に形成されており、その４つの内側角部に略矩形状の取付部８が形成されている。取付部８には、大小二つの孔８ａ，８ｂが斜めに離間して形成されている。孔８ａは孔８ｂより外側に配置されている。取付フレーム７は、前記開口部５ａより大きくなっているが、取付フレーム７の内側の矩形状の開口部は、前記壁材５の開口部５ａより若干小さくなっている。
このような取付フレーム７は、壁材５の表面に、開口部５ａの縁部に沿って当接されており、この状態において、取付フレーム７の内周縁部と前記取付部８とは、開口部５ａの内側の位置している。
【００２１】
一方、前記壁材５の裏面には、二つの取付金具１０，１０が配置されている。この取付金具１０は上下に長尺な薄板状のものであり、その上下の長さは、前記開口部５ａの縦辺の長さより若干長くなっている。また、図２に示すように、取付金具１０の上下端部にはそれぞれ取付部１０ａが内側に突出して形成されており、この取付部１０ａには孔１０ｂが形成されている。
そして、このような取付金具１０，１０は、壁材５の裏面に、開口部５の縦縁部に沿って当接されており、この状態において、取付金具１０の内側の縁部と前記取付部１０ａとは、開口部５ａの内側に位置している。
そして、図１および図４に示すように、取付フレーム７の取付部８に形成されている孔８ａにネジ１１（締結手段）を挿入したうえで、開口部５ａの隅部を通し、取付金具１０の取付部１０ａに形成されている孔１０ｂにねじ込んで締め付けることによって、取付フレーム７と取付金具１０とがネジ１１によって締結されて、壁材５が取付フレーム７と取付金具１０によって挟み付けられている。これによって、取付フレーム７は壁材５の表面に取り付けられている。
【００２２】
前記壁材５の開口部５ａには、耐火性を有する箱状の耐火ボックス１２がその開口を開口部ａに向けて挿入されている。耐火ボックス１２は、前記表示器１の表示器本体２が挿入される箱状の耐火ボックス本体１２ａと、この耐火ボックス本体１２ａの開口縁部に設けられたボックスフランジ部１２ｂとから構成されている。
耐火ボックス本体１２ａの４つの角部には切欠部１２ｃが形成されている。そして、耐火ボックス本体１２ａに表示器本体２を挿入した際に、その切欠部２ａが前記切欠部１２ｃの内側と係合するようになっている。
また、ボックスフランジ部１２ｂの４つの角部にはそれぞれ切欠部１２ｄが、前記切欠部１２ｃと正面形状が等しくなるように形成されている。この切欠部１２ｄに、後述する取付ネジ１５が通るようになっている。
そして、上記のように構成された耐火ボックス１２は、その開口を前記開口部５ａに向けて当該開口部５ａに挿入されるともに、耐火ボックス１２の外周部に設けられたボックスフランジ部１２ｂが取付フレーム７に当接されている。
【００２３】
前記開口部５ａに挿入された耐火ボックス１２には、表示器１が挿入されるとともに、表示器１のフランジ部３ｃが取付フレーム７に取付ネジ１５によって取り付けられている。すなわち、フランジ部３ｃに形成された孔３ｄに取付ネジ１５を挿入し、前記切欠部１２ｄを通したうえで、取付フレーム７の取付部８に形成された孔８ｂにねじ込んで締め付けることによって、フランジ部３ｃが取付フレーム７に取り付けられている。これによって、ボックスフランジ部１２ｂは、取付フレーム７とフランジ部３ｃとによって挟み付けられて固定されている。
【００２４】
次に、表示器１を壁材５に取り付ける方法について説明する。
まず、図２に示すように、壁材５の所望の位置に開口部５を形成する。この開口部５は壁材５によって壁を構成した後に、当該壁材５に形成してもよいし、予め壁材５に形成しておいてもよい。
次に、壁材５の表面に、取付フレーム７を開口部５の縁部に沿って取り付ける。この場合、まず図２に示すように、取付フレーム７の裏側に、二つの取付金具１０，１０を配置したうえで、取付フレーム７の下側の取付部８，８に形成されている孔８ａ，８ａにネジ１１，１１を挿入し、さらに取付金具１０，１０の下端部の取付部１０ａ，１０ａに形成されている孔１０ｂ，１０ｂにねじ込む。これによって、取付フレーム７に取付金具１０，１０を仮止めしておく。なお、取付フレーム７と取付金具１０，１０との間の距離は、開口部５ａの深さより若干大きめにしておく。
【００２５】
次に、図３に示すように、取付フレーム７を壁材５の表面に、開口部５ａの縁部に沿って当接するとともに、取付金具１０，１０を、開口部５ａを通して壁材５の裏面に配置したうえで、取付金具１０，１０の下端部を開口部５の縦縁部の下端部に当接する。次に、取付金具１０，１０を、前記ネジ１１，１１を支点として回転させることで、開口部５の縦縁部に沿って配置する。
次に、取付フレーム７の上側の取付部８，８に形成されている孔８ａ，８ａにネジ１１，１１を挿入し、開口部５ａの隅部を通したうえで、取付金具１０，１０の上端部の取付部１０ａ，１０ａに形成されている孔１０ｂ，１０ｂにねじ込む。
そして、４つのネジ１１・・・を締め付けることによって、取付フレーム７と取付金具１０とをネジ１１・・・によって締結し、壁材５を取付フレーム７と取付金具１０によって挟み付ける。これによって、取付フレーム７を壁材５の表面に取り付ける。
【００２６】
次に、図１および図４に示すように、前記開口部５ａに、耐火ボックス１２をその開口を前記開口部５ａに向けて挿入するともに、耐火ボックス１２の外周部に設けられたボックスフランジ部１２ｂを取付フレーム７に当接する。この場合、耐火ボックス１２の耐火ボックス本体１２ａの角部に形成されている切欠部１２ｃが、取付フレーム７の内側の角部にある取付部８と取付金具１０の取付部１０ａとに係合しながら、耐火ボックス本体１２ａが開口部５ａに挿入されたうえで、ボックスフランジ部１２ｂが取付フレーム７に当接する。なお、図４に示すように、耐火ボックス１２の裏側には、断熱材１６が設けられている。
【００２７】
次に、開口部５ａに挿入された耐火ボックス１２に表示器１を挿入するとともに、フランジ部３ｃを取付フレーム７に取り付ける。
すなわち、表示器１の表示器本体２を耐火ボックス１２の耐火ボックス本体１２ａに挿入する。この場合、表示器本体２の角部に形成されている切欠部２ａが、耐火ボックス本体１２ａの角部に形成されている切欠部１２ｃの内側と係合しながら、表示器本体２が耐火ボックス本体１２ａに挿入される。
次に、前記フランジ部３ｃに形成された孔３ｄに取付ネジ１５を挿入し、ボックスフランジ部１２ｂに形成されている切欠部１２ｄを通したうえで、取付フレーム７の取付部８に形成された孔８ｂにねじ込んで締め付けることによって、フランジ部３ｃを取付フレーム７に取り付ける。これによって、ボックスフランジ部１２ｂを、取付フレーム７とフランジ部３ｃとによって挟み付けて固定する。
最後に、表示器１のパネル部３の上下部に、化粧パネル４，４を取り付けて、孔３ｄを隠す。
【００２８】
本実施の形態によれば、壁材５に形成された開口部５ａの縁部において壁材５の表面に取り付けられた取付フレーム７に、表示器１の外周部のフランジ部３ｃが取り付けられているので、表示器１を後付けで壁材５に容易に取り付けることができる。
また、耐火ボックス１２が壁材５の開口部５ａに挿入され、この耐火ボックス１２のボックスフランジ部１２ｂが取付フレーム７と表示器１のフランジ部３ｃとによって挟み付けられているので、耐火ボックス１２を容易に壁材５に固定できるとともに、この耐火ボックス１２によって耐火性を確保できる。
したがって、耐火性を確保した状態で表示器１を後付けで壁材５に容易に取り付けることができる。
【００２９】
また、取付フレーム７と取付金具１０とがネジ１１によって締結されて壁材５を挟み付けることによって、取付フレーム７が壁材５の表面に取り付けられているので、取付フレーム７を壁材５に強固に固定できる。
さらに、ボックスフランジ部１２ｂに、取付ネジ１５が通る切欠部１２ｄが形成されているので、表示器１のフランジ部３ｃから取付フレーム７に取付ネジ１５をボックスフランジ部１２ｂに干渉させることなく、容易にねじ込んで、フランジ部３ｃを取付フレーム７に固定できる。
【００３０】
また、壁材５の開口部５ａに、耐火ボックス１２を挿入するともに、耐火ボックス１２の外周部に設けられたボックスフランジ部１２ｂを取付フレーム７に当接することによって、耐火ボックス１２を開口部５ａに設け、次に、開口部５ａに挿入された耐火ボックス１２に表示器１を挿入するとともに、フランジ部３ｃを取付フレーム７に取り付けることによって、ボックスフランジ部１２ｂを、取付フレーム７とフランジ部３ｃとによって挟み付けることによって、表示器１と耐火ボックス１２を後付けで壁材に取り付けることができる。したがって、耐火性を確保した状態で表示器１を後付けで壁材５に容易に取り付けることができる。
【００３１】
また、本発明では、表示器１を壁材５に取り付ける場合に以下の方法で行うこともできる。
すなわちまず、上記と同様にして、壁材５に開口部５ａを形成した後、壁材５の表面に、取付フレーム７を開口部５の縁部において取り付ける。
次に、耐火ボックス１２の耐火ボックス本体１２ａに表示器１の表示器本体２を挿入するとともに、表示器１のフランジ部３ｃを耐火ボックス１２の外周部に設けられているボックスフランジ部１２ｂに当接する。このようにして、表示器１を耐火ボックス１２に予めセットしおく。
次に、壁材５の開口部５ａに、表示器１が挿入されている耐火ボックス１２をその開口を開口部５ａに向けて挿入するともに、耐火ボックス１２のボックスフランジ部１２ｂを取付フレーム７に当接する。
次に、表示器１のフランジ部３ｃを取付フレーム７に取付ネジ１５によって取り付けることによって、ボックスフランジ部１２ｂを、取付フレーム７とフランジ部３ｃとによって挟み付けて固定する。
最後に、表示器１のパネル部３の上下部に、化粧パネル４，４を取り付けて、孔３ｄを隠す。
【００３２】
このような表示器の取付方法によれば、耐火ボックス１２に表示器１を挿入するとともに、表示器１のフランジ部３ｃを耐火ボックス１２のボックスフランジ部１２ｂに当接することによって、表示器１を耐火ボックス１２にセットしおき、次に、壁材５の開口部５ａに、耐火ボックス１２をその開口を開口部５ａに向けて挿入するともに、耐火ボックス１２の外周部に設けられたボックスフランジ部１２ｂを取付フレーム７に当接したうで、フランジ部３ｃを取付フレーム７に取付ネジ１５によって取り付けることによって、ボックスフランジ部１２ｂを、取付フレーム７とフランジ部３ｃとによって挟み付けることによって、表示器１と耐火ボックス１２を後付けで壁材に取り付けることができる。
したがって、耐火性を確保した状態で表示器１を後付けで壁材５に容易に取り付けることができる。
また、耐火ボックス１２と表示器１とを同時に壁材５の開口部５ａに挿入することができるので、取付の作業性がよくなる。
【符号の説明】
【００３３】
１  表示機
３ｃ  フランジ部
５  壁材
５ａ  開口部
７  取付フレーム
１０  取付金具
１１  ネジ（締結手段）
１２  耐火ボックス
１２ｂ  ボックスフランジ部
１２ｄ  切欠部
１５  取付ネジ
【図１】
0005502663.tif 000002
【図２】
0005502663.tif 000003
【図３】
0005502663.tif 000004
【図４】
0005502663.tif 000005